(57)【要約】  【課題】  １個のリピートキーで再生開始点および再生終了点の位置を設定することができ、再生開始点および再生終了点を設定するのに要する時間を短縮することができる光ディスク再生装置を提供する。  【解決手段】  光ディスク１が再生され、リピート再生の開始位置にしたい再生箇所に来たとき、Ａ−Ｂリピートキー２１３を押下すると、再生開始点Ａが再生開始点設定手段２２１により設定され、このままのＡ−Ｂリピートキー２１３の長押しの間、押下時間が押下時間計測手段２２２により計測される。ユーザがＡ−Ｂリピートキー２１３を離すと、ここまでの押下時間に応じて再生終了点Ｂが再生終了点設定手段２２６により確定され設定される。例えば、押下時間が３秒であれば、時間テーブル２３１に基づいて再生時間が３０分であることが検出され、更に、３０分の再生時間に基づいて再生終了点が確定され設定される。【選択図】      図１
2005293792.tif 000002
【特許請求の範囲】
【請求項１】
情報が記録された光ディスクに対してリピート動作の再生開始点とリピート動作の再生
終了点を設定し、前記再生開始点と前記再生終了点間のリピート動作を行うリピート機能
を有する光ディスク再生装置において、リピート動作を行わせるためのリピートキーの押
下時間とリピート動作の再生開始点からの再生時間との関係を示す時間テーブルを予めメ
モリに記憶させ、前記リピートキーを押下したときの再生箇所をリピート動作の再生開始
点として設定する再生開始点設定手段と、前記リピートキーを押下し続けている間の押下
時間を計測する押下時間計測手段と、前記リピートキーが押下中でないと判定されたとき
に前記押下時間の計測を停止させる計測停止手段と、前記計測された押下時間が所定時間
以上であるか否かを判定する押下時間判定手段と、前記計測された押下時間が所定時間以
上であると判定された場合に前記押下時間に対応する再生時間を前記時間テーブルに基づ
いて検出する再生時間検出手段と、前記検出された再生時間に基づいてリピート動作の再
生終了点を確定して設定する再生終了点設定手段と、前記再生終了点が設定された後、リ
ピート区間を延長するために前記リピートキーが長押しで押下された場合に該押下時間を
前記計測押下時間に加算する時間加算手段と、前記リピートキーが押下中でないと判定さ
れたときに前記押下時間の加算を停止させる加算停止手段と、前記加算された押下時間に
対応する新たな再生時間を前記時間テーブルに基づいて検出する更新再生時間検出手段と
、前記検出された新たな再生時間に基づいてリピート動作の新たな再生終了点を確定して
設定する更新再生終了点設定手段とを有するシステムコントローラを備えたことを特徴と
する光ディスク再生装置。
【請求項２】
情報が記録された光ディスクに対してリピート動作の再生開始点とリピート動作の再生
終了点を設定し、前記再生開始点と前記再生終了点間のリピート動作を行うリピート機能
を有する光ディスク再生装置において、リピート動作を行わせるためのリピートキーの押
下時間とリピート動作の再生開始点からの再生時間との関係を示す時間テーブルを予めメ
モリに記憶させ、前記リピートキーを押下したときリピート動作の再生開始点を設定して
、前記リピートキーを押下してから押下を止めるまでの押下時間を計測し、この押下時間
に対応する再生時間を前記時間テーブルに基づいて検出し、この検出された再生時間に基
づいてリピート動作の再生終了点を確定して設定するシステムコントローラを備えたこと
を特徴とする光ディスク再生装置。
【請求項３】
前記システムコントローラは、前記リピートキーを押下したときの再生箇所をリピート
動作の再生開始点として設定する再生開始点設定手段と、前記リピートキーを押下し続け
ている間の押下時間を計測する押下時間計測手段と、前記リピートキーが押下中でないと
判定されたときに前記押下時間の計測を停止させる計測停止手段と、前記計測された押下
時間が所定時間以上であるか否かを判定する押下時間判定手段と、前記計測された押下時
間が所定時間以上であると判定された場合に前記押下時間に対応する再生時間を前記時間
テーブルに基づいて検出する再生時間検出手段と、前記検出された再生時間に基づいてリ
ピート動作の再生終了点を確定して設定する再生終了点設定手段とを有することを特徴と
する請求項２に記載の光ディスク再生装置。
【請求項４】
前記システムコントローラは、前記再生終了点が設定された後、リピート区間を延長す
るために前記リピートキーが長押しで押下された場合に該押下時間を前記計測押下時間に
加算する時間加算手段と、前記リピートキーが押下中でないと判定されたときに前記押下
時間の加算を停止させる加算停止手段と、前記加算された押下時間に対応する新たな再生
時間を前記時間テーブルに基づいて検出する更新再生時間検出手段と、前記検出された新
たな再生時間に基づいてリピート動作の新たな再生終了点を確定して設定する更新再生終
了点設定手段とを有することを特徴とする請求項３に記載の光ディスク再生装置。
【発明の詳細な説明】
【技術分野】
【０００１】
本発明は、光ディスクに記録された情報を再生する光ディスク再生装置に関し、特に、
光ディスクにおける再生開始点と再生終了点とを設定してリピート動作を行うリピート機
能を有する光ディスク再生装置に関する。
【背景技術】
【０００２】
従来から光ディスク再生装置には、光ディスクにおける再生開始点Ａと再生終了点Ｂ間
のリピート動作を行うリピート機能が備えられており、リモコンや装置本体の操作部に設
けられているＡ−Ｂリピートキーを操作することにより、リピート動作を行わせることが
できる。
【０００３】
例えば、ユーザが視聴したい映画が記録された光ディスクを光ディスク再生装置に装填
し、この光ディスクに対して再生処理を行って映画を視聴し、もう一度、視聴したい場面
を視聴したい場合、光ディスクを最初から再生させていき、リピート再生したい最初の場
面が来ると、ここでＡ−Ｂリピートキーを１回押下し、再生開始点Ａを設定する。そして
、このまま再生を続行してリピート再生したい最後の場面に来ると、Ａ−Ｂリピートキー
を再び１回押下して、再生終了点Ｂを設定する。このようにして再生開始点Ａと再生終了
点Ｂが設定された後、光ディスク再生装置は再生開始点Ａと再生終了点Ｂとの区間のリピ
ート再生を開始する。また、リピート再生を解除する場合は、Ａ−Ｂリピートキーをもう
一度押下すると解除される。
【特許文献１】特開平７−２７２４５４号公報
【特許文献２】特開２００２−２０８２１２号公報
【特許文献３】特開２００１−１０９４９８号公報
【特許文献４】特開平１１−２１３６３６号公報
【発明の開示】
【発明が解決しようとする課題】
【０００４】
しかしながら、このような従来の光ディスク再生装置においては、リピート再生を行う
場合、光ディスクを最初から再生させていき、リピート再生したい最初の場面に来ると、
ここでＡ−Ｂリピートキーを１回押下し、再生開始点Ａを設定し、このまま再生を続行し
てリピート再生したい最後の場面に来ると、Ａ−Ｂリピートキーを再び１回押下して、再
生終了点Ｂを設定するようになっているので、特に、再生終了点Ｂを設定するのに再生時
間に相当する時間を要し、再生終了点Ｂの設定時間が多くかかるという課題が生じる。
【０００５】
なお、特許文献１の従来技術では、リピート動作の再生開始点の時間データを指定する
第一のスイッチと、リピート動作の再生終了点の時間データを指定する第二のスイッチと
を備え、第一のスイッチおよび第二のスイッチを操作して再生開始点および再生終了点を
設定しているが、二つのスイッチを操作しなければならないので、リピート操作が煩わし
く、また、リピート区間の設定は再生時において設定するので、特に、再生終了点を設定
するのに再生時間に相当する時間を要し、再生終了点の設定時間が多くかかるという課題
が生じる。
【０００６】
特許文献２の従来技術では、時間入力釦を押圧してリバース時間（Ａ点までの時間）を
例えば３秒に設定し、記憶釦を押圧し、記憶部のＡメモリにリバース時間としてＴｏ＝３
秒を記憶させ、次に、再生待機中、あるいは再生中にキー操作部あるいはリモコン入力部
のオートリプレイ釦を再生時間ＴｉのＢ位置で押圧すると、再生時間Ｔｉの位置が繰り返
し再生の終了点であるＢ点となり、記憶部のＢメモリに位置情報が格納され、同時に記憶
部のＡメモリに記憶されたリバース時間Ｔｏに基づいてＡ点の位置が自動的に設定される
ようになっている。しかしながら、再生開始点および再生終了点を設定するのに、時間入
力釦と記憶釦とオートリプレイ釦との３個の操作キーを操作しなければならないので、再
生開始点および再生終了点の設定操作が煩わしいという課題が生じる。
【０００７】
特許文献３の従来技術では、音声データの再生中にインデックス釦を操作すると、現在
のアドレスデータをアドレスバッファに記録し、その後、後スキップ釦を操作してスキッ
プ再生を指示すると、アドレスバッファに記録されたアドレスデータに対応する位置まで
スキップしてリピート再生を行うようにしている。しかしながら、再生開始点および再生
終了点を設定するのに、インデックス釦と後スキップ釦との２個の操作キーを操作しなけ
ればならないので、再生開始点および再生終了点の設定操作が煩わしく、また、再生終了
点の設定は再生中に行わなければならないので、再生終了点の設定に時間が多くかかると
いう課題が生じる。
【０００８】
特許文献４の従来技術では、再生動作中に途中再生開始位置指示スイッチを操作すると
、音声データが記録されているメモリ上のアドレスで与えられている途中再生開始位置が
ＲＡＭに記憶され、設定される。その後、高速後退指示スイッチを操作すると同様にアド
レスで与えられる途中再生終了位置が記憶され、設定される。また、同時にメモリ上のア
ドレスを高速後退し、そして、途中再生開始位置に到達したとき、再生を再開し、途中再
生終了位置で再度高速後退を行うようにして自動的に繰り返し再生を行うようにしている
。しかしながら、再生開始点および再生終了点の位置を設定するのに、途中再生開始位置
指示スイッチと高速後退指示スイッチとの２個の操作キーを操作しなければならないので
、再生開始点および再生終了点の設定操作が煩わしく、また、再生開始点および再生終了
点の設定は再生中に行わなければならないので、再生開始点および再生終了点の設定に時
間が多くかかるという課題が生じる。
【０００９】
本発明は、上記のような課題を解決するためになされたもので、１個のリピートキーで
再生開始点および再生終了点の位置を設定することができ、また、再生開始点および再生
終了点を設定するのに要する時間を短縮することができる光ディスク再生装置を提供する
ことを目的とする。
【課題を解決するための手段】
【００１０】
上記目的を達成するために、請求項１の発明は、情報が記録された光ディスクに対して
リピート動作の再生開始点とリピート動作の再生終了点を設定し、前記再生開始点と前記
再生終了点間のリピート動作を行うリピート機能を有する光ディスク再生装置において、
リピート動作を行わせるためのリピートキーの押下時間とリピート動作の再生開始点から
の再生時間との関係を示す時間テーブルを予めメモリに記憶させ、前記リピートキーを押
下したときの再生箇所をリピート動作の再生開始点として設定する再生開始点設定手段と
、前記リピートキーを押下し続けている間の押下時間を計測する押下時間計測手段と、前
記リピートキーが押下中でないと判定されたときに前記押下時間の計測を停止させる計測
停止手段と、前記計測された押下時間が所定時間以上であるか否かを判定する押下時間判
定手段と、前記計測された押下時間が所定時間以上であると判定された場合に前記押下時
間に対応する再生時間を前記時間テーブルに基づいて検出する再生時間検出手段と、前記
検出された再生時間に基づいてリピート動作の再生終了点を確定して設定する再生終了点
設定手段と、前記再生終了点が設定された後、リピート区間を延長するために前記リピー
トキーが長押しで押下された場合に該押下時間を前記計測押下時間に加算する時間加算手
段と、前記リピートキーが押下中でないと判定されたときに前記押下時間の加算を停止さ
せる加算停止手段と、前記加算された押下時間に対応する新たな再生時間を前記時間テー
ブルに基づいて検出する更新再生時間検出手段と、前記検出された新たな再生時間に基づ
いてリピート動作の新たな再生終了点を確定して設定する更新再生終了点設定手段とを有
するシステムコントローラを備えたことを特徴とする光ディスク再生装置を提供する。
【００１１】
この構成において、光ディスクに対する再生動作が開始し、光ディスクの情報が再生さ
れ、リピート再生の開始位置にしたい再生箇所に来たとき、ここでリピートキーを押下す
ると、この再生箇所が再生開始点として再生開始点設定手段により設定される。このとき
リピートキーの操作は長押しを行っているので、押下時間が押下時間計測手段により計測
される。そして、リピートキーが押下中は押下時間の計測が続行されるが、リピートキー
の押下を止め、リピートキーを離すと、押下時間の計測が計測停止手段により停止される
。この後、ここまで計測された押下時間が所定時間以上であるか否かが押下時間判定手段
により判定され、所定時間未満であれば、本処理は終了するが、所定時間以上であれば、
押下時間に応じて再生終了点を確定して設定する。
【００１２】
この再生終了点を確定して設定する処理は、再生時間検出手段と再生終了点設定手段に
より行われる。例えば、押下時間が３秒であれば、時間テーブルに基づいて再生時間が３
０分であることが再生時間検出手段により検出され、更に、３０分の再生時間に基づいて
再生終了点が、再生終了点設定手段により確定され設定される。この後、リピートキーを
長押しもせず、リピート再生を解除する場合のリピートキーの短押しもしない場合は、リ
ピート再生が開始するが、ここで、ユーザがリピート区間を延長したくなった場合に、リ
ピートキーを長押しすると、時間加算手段は、その長押しによる押下時間を前記計測され
た押下時間に加算する。したがって、リピート再生中にリピート区間を延長したい場合に
は、リピートキーを長押しすれば、簡単にリピート区間を延長することができる。
【００１３】
そして、リピートキーが押下中は、押下時間の加算が続行されるが、リピートキーの押
下を止め、リピートキーを離すと、押下時間の加算が加算停止手段により停止される。こ
の後、ここまで加算された押下時間に応じて新たに再生終了点を確定して設定する。この
新たな再生終了点を確定して設定する処理は、更新再生時間検出手段と更新再生終了点設
定手段により行われる。例えば、押下時間の加算が２秒であれば、時間テーブルに基づい
て再生時間が２０分であることが更新再生時間検出手段により検出され、更に、３０分＋
２０分の計５０分の再生時間に基づいて再生終了点Ｂが、更新再生終了点設定手段により
確定され設定される。この後、リピートキーを長押しもせず、リピート再生を解除する場
合のリピートキーの短押しもしない場合は、リピート再生が開始される。
【００１４】
この構成によれば、１個のリピートキーで再生開始点および再生終了点の位置を設定す
ることができるので、リピート再生に関する操作が簡単になって、操作性が向上し、また
、リピートキーを押下したときに再生開始点が設定され、そして、そのままのリピートキ
ーの長押しにより再生終了点を設定することができるので、再生開始点の設定は勿論短時
間で行うことができると共に、再生終了点の設定に要する時間を短縮することができる。
【００１５】
請求項２の発明は、情報が記録された光ディスクに対してリピート動作の再生開始点と
リピート動作の再生終了点を設定し、前記再生開始点と前記再生終了点間のリピート動作
を行うリピート機能を有する光ディスク再生装置において、リピート動作を行わせるため
のリピートキーの押下時間とリピート動作の再生開始点からの再生時間との関係を示す時
間テーブルを予めメモリに記憶させ、前記リピートキーを押下したときリピート動作の再
生開始点を設定して、前記リピートキーを押下してから押下を止めるまでの押下時間を計
測し、この押下時間に対応する再生時間を前記時間テーブルに基づいて検出し、この検出
された再生時間に基づいてリピート動作の再生終了点を確定して設定するシステムコント
ローラを備えたことを特徴とする光ディスク再生装置を提供する。
【００１６】
この構成において、光ディスクに対する再生動作が開始し、光ディスクの情報が再生さ
れ、リピート再生の開始位置にしたい再生箇所に来たとき、ここでリピートキーを押下す
ると、この再生箇所が再生開始点として設定される。このときリピートキーの操作は長押
しを行っているので、押下時間が計測される。そして、リピートキーが押下中は、押下時
間の計測が続行されるが、リピートキーの押下を止め、リピートキーを離すと、押下時間
の計測が停止される。この後、押下時間に応じて再生終了点を確定して設定する。この再
生終了点を確定して設定する処理は、例えば、押下時間が３秒であれば、時間テーブルに
基づいて再生時間が３０分であることが検出され、更に、３０分の再生時間に基づいて再
生終了点が、確定され設定される。この後、リピートキーを長押しもせず、リピート再生
を解除する場合のリピートキーの短押しもしない場合は、リピート再生が開始する。
【００１７】
この構成によれば、１個のリピートキーで再生開始点および再生終了点の位置を設定す
ることができるので、リピート再生に関する操作が簡単になって、操作性が向上し、また
、リピートキーを押下したときに再生開始点が設定され、そして、そのままのリピートキ
ーの長押しにより再生終了点を設定することができるので、再生開始点の設定は勿論短時
間で行うことができると共に、再生終了点の設定に要する時間を短縮することができる。
【００１８】
請求項３の発明では、請求項２の発明において、前記システムコントローラは、前記リ
ピートキーを押下したときの再生箇所をリピート動作の再生開始点として設定する再生開
始点設定手段と、前記リピートキーを押下し続けている間の押下時間を計測する押下時間
計測手段と、前記リピートキーが押下中でないと判定されたときに前記押下時間の計測を
停止させる計測停止手段と、前記計測された押下時間が所定時間以上であるか否かを判定
する押下時間判定手段と、前記計測された押下時間が所定時間以上であると判定された場
合に前記押下時間に対応する再生時間を前記時間テーブルに基づいて検出する再生時間検
出手段と、前記検出された再生時間に基づいてリピート動作の再生終了点を確定して設定
する再生終了点設定手段とを有するので、１個のリピートキーで再生開始点および再生終
了点の位置を設定することができ、また、リピートキーを押下したときに再生開始点を設
定でき、また、そのままのリピートキーの長押しにより再生終了点を設定することができ
る。
【００１９】
請求項４の発明では、請求項３の発明において、前記システムコントローラは、前記再
生終了点が設定された後、リピート区間を延長するために前記リピートキーが長押しで押
下された場合に該押下時間を前記計測押下時間に加算する時間加算手段と、前記リピート
キーが押下中でないと判定されたときに前記押下時間の加算を停止させる加算停止手段と
、前記加算された押下時間に対応する新たな再生時間を前記時間テーブルに基づいて検出
する更新再生時間検出手段と、前記検出された新たな再生時間に基づいてリピート動作の
新たな再生終了点を確定して設定する更新再生終了点設定手段とを有するので、リピート
再生中にリピート区間を延長したい場合には、リピートキーを長押しすれば、簡単にリピ
ート区間を延長することができる。
【発明の効果】
【００２０】
以上のように本発明によれば、情報が記録された光ディスクに対してリピート動作の再
生開始点とリピート動作の再生終了点を設定し、前記再生開始点と前記再生終了点間のリ
ピート動作を行うリピート機能を有する光ディスク再生装置において、リピート動作を行
わせるためのリピートキーの押下時間とリピート動作の再生開始点からの再生時間との関
係を示す時間テーブルを予めメモリに記憶させ、前記リピートキーを押下したときリピー
ト動作の再生開始点を設定して、前記リピートキーを押下してから押下を止めるまでの押
下時間を計測し、この押下時間に対応する再生時間を前記時間テーブルに基づいて検出し
、この検出された再生時間に基づいてリピート動作の再生終了点を確定して設定するシス
テムコントローラを備えたので、１個のリピートキーで再生開始点および再生終了点の位
置を設定することができ、これにより、リピート再生に関する操作が簡単になって、操作
性が向上し、また、リピートキーを押下したときに再生開始点を設定でき、そして、その
ままのリピートキーの長押しにより再生終了点を設定することができ、したがって、再生
開始点の設定は勿論短時間で行うことができると共に、再生終了点の設定に要する時間を
短縮することができる。
【発明を実施するための最良の形態】
【００２１】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２２】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２３】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２４】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２５】
また、この光ディスク再生装置は、システムコントローラ２２に対して、再生指示を与
えるための再生キー２１１や、再生停止を指示するための停止キー２１２、リピート再生
を行わせるためのＡ−Ｂリピートキー２１３などの各種操作キーを有する操作部２１と、
装置全体を制御する前記システムコントローラ２２とを備えている。なお、操作部２１は
、リモートコントローラであっても良いし、装置本体の操作パネルに設けられた操作部で
あっても良い。
【００２６】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。また、フラッシュＲＯＭ２３には、リピート動作を
行わせるための操作部２１のＡ−Ｂリピートキー２１３の押下時間とリピート動作の再生
開始点からの再生時間との関係を示す時間テーブル２３１（図２参照）が予め記憶されて
いる。
【００２７】
システムコントローラ２２は、本実施形態の特徴とする構成要素として、操作部２１の
Ａ−Ｂリピートキー２１３を押下したときの再生箇所をリピート動作の再生開始点として
設定する再生開始点設定手段２２１と、Ａ−Ｂリピートキー２１３を押下し続けている間
の押下時間を計測する押下時間計測手段２２２と、Ａ−Ｂリピートキー２１３が押下中で
ないと判定されたときに前記押下時間の計測を停止させる計測停止手段２２３と、前記計
測された押下時間が所定時間以上であるか否かを判定する押下時間判定手段２２４と、前
記計測された押下時間が所定時間以上であると判定された場合に前記押下時間に対応する
再生時間を時間テーブル２３１に基づいて検出する再生時間検出手段２２５とを有してい
る。
【００２８】
また、システムコントローラ２２は、前記検出された再生時間に基づいてリピート動作
の再生終了点を確定して設定する再生終了点設定手段２２６と、前記再生終了点が設定さ
れた後、リピート区間を延長するためにＡ−Ｂリピートキー２１３が長押しで押下された
場合に該押下時間を前記計測押下時間に加算する時間加算手段２２７と、Ａ−Ｂリピート
キー２１３が押下中でないと判定されたときに前記押下時間の加算を停止させる加算停止
手段２２８と、前記加算された押下時間に対応する新たな再生時間を時間テーブル２３１
に基づいて検出する更新再生時間検出手段２２９と、前記検出された新たな再生時間に基
づいてリピート動作の新たな再生終了点を確定して設定する更新再生終了点設定手段２３
０とを有する。
【００２９】
図２は本実施形態における時間テーブル２３１の内容の一例を示す図である。この時間
テーブル２３１において、押下時間はＡ−Ｂリピートキー２１３の押下時間を示し、再生
時間は押下時間に対応する再生時間を示す。例えば、押下時間が３秒であれば、再生時間
が３０分に対応し、光ディスク上の再生開始点Ａから再生終了点Ｂまで再生した場合の再
生時間が３０分であることを示すので、この３０分に相当する区間の情報がリピート再生
可能になる。なお、押下時間と再生時間との関係は、図２に示すような関係に限ることは
ない。
【００３０】
図３は本実施形態においてリピート動作を行う際の再生開始点Ａと再生終了点Ｂを設定
する処理を説明するためのフローチャートである。このフローチャートを参照してリピー
ト動作を行う際の再生開始点Ａと再生終了点Ｂを設定する処理を説明する。
【００３１】
再生したい光ディスク１が光ディスク再生装置に装填され、操作部２１の再生キー２１
１が押下されると、スピンドルモータ５の回転により光ディスク１が回転し、前述したよ
うな動作を行う光ピックアップ２、ＲＦアンプ６、デジタル信号処理部８、ストリーム分
離部９、オーディオデコーダ１１、サブピクチャデコーダ１３、ビデオデコーダ１５、Ｄ
／Ａ変換器１６、ビデオプロセッサ１７、およびビデオエンコーダ１８によりそれぞれの
処理が行われ、ディスプレイ装置２０に再生映像が表示され、スピーカ１９から再生音声
が出力される。
【００３２】
そして、光ディスク１の再生が終わり、その後、もう一度、視聴したい箇所があれば、
Ａ−Ｂリピートキー２１３を操作して、光ディスク１をリピート再生する。このリピート
再生する場合の処理をフローチャートに従って以下説明する。
【００３３】
光ディスク１に対する再生動作が開始し、光ディスク１の情報が再生され、リピート再
生したい最初の再生箇所に来ると、ここでＡ−Ｂリピートキー２１３を押下すると（ステ
ップＳ１）、この再生箇所が再生開始点Ａとして再生開始点設定手段２２１により設定さ
れる。このときのＡ−Ｂリピートキー２１３の操作は長押しを行っているので、押下時間
が押下時間計測手段２２２により計測される（ステップＳ２）。
【００３４】
そして、Ａ−Ｂリピートキー２１３が押下中は（ステップＳ３）、押下時間の計測が続
行されるが（ステップＳ４）、Ａ−Ｂリピートキー２１３の押下を止め、Ａ−Ｂリピート
キー２１３を離すと、押下時間の計測が計測停止手段２２３により停止される（ステップ
Ｓ５）。この後、ここまで計測された押下時間を取得し（ステップＳ６）、この押下時間
が所定時間以上であるか否かが押下時間判定手段２２４により判定され（ステップＳ７）
、所定時間未満であれば、本処理は終了するが、所定時間以上であれば、押下時間に応じ
て再生終了点Ｂを確定して設定する（ステップＳ８）。
【００３５】
この再生終了点Ｂを確定して設定する処理は、再生時間検出手段２２５と再生終了点設
定手段２２６により行われる。例えば、押下時間が３秒であれば、時間テーブル２３１（
図２参照）に基づいて再生時間が３０分であることが再生時間検出手段２２５により検出
され、更に、３０分の再生時間に基づいて再生終了点Ｂが、再生終了点設定手段２２６に
より確定され設定される。
【００３６】
この後、Ａ−Ｂリピートキー２１３を長押しもせず（ステップＳ９）、リピート再生を
解除する場合のＡ−Ｂリピートキー２１３の短押しもしない（ステップＳ１０）場合は、
リピート再生が開始する（ステップＳ１２）。ここで、ユーザがリピート区間を延長した
くなった場合に、Ａ−Ｂリピートキー２１３を長押しすると（ステップＳ９）、時間加算
手段２２７は、その長押しによる押下時間をステップＳ６で取得した押下時間に加算する
（ステップＳ１３）。
【００３７】
そして、Ａ−Ｂリピートキー２１３が押下中は、押下時間の加算が続行されるが（ステ
ップＳ１３）、Ａ−Ｂリピートキー２１３の押下を止め、Ａ−Ｂリピートキー２１３を離
すと（ステップＳ１４）、押下時間の加算が加算停止手段２２８により停止される（ステ
ップＳ１５）。この後、ここまで加算された押下時間に応じて新たに再生終了点Ｂを確定
して設定する（ステップＳ１６）。
【００３８】
この新たな再生終了点Ｂを確定して設定する処理は、更新再生時間検出手段２２９と更
新再生終了点設定手段２３０により行われる。例えば、押下時間の加算が２秒であれば、
時間テーブル２３１（図２参照）に基づいて再生時間が２０分であることが更新再生時間
検出手段２２９により検出され、更に、３０分＋２０分の計５０分の再生時間に基づいて
再生終了点Ｂが、更新再生終了点設定手段２３０により確定され設定される。
【００３９】
この後、Ａ−Ｂリピートキー２１３を長押しもせず（ステップＳ９）、リピート再生を
解除する場合のＡ−Ｂリピートキー２１３の短押しもしない（ステップＳ１０）場合は、
リピート再生が開始される（ステップＳ１２）。なお、リピート再生の解除は、Ａ−Ｂリ
ピートキー２１３を短く（長押しの押下時間未満）押下することにより（ステップＳ１０
）、リピート再生が解除される（ステップＳ１１）。
【００４０】
以上説明したように本実施形態によれば、１個のＡ−Ｂリピートキー２１３で再生開始
点および再生終了点の位置を設定することができるので、リピート再生に関する操作が簡
単になって、操作性が向上し、また、Ａ−Ｂリピートキー２１３を押下したときに再生開
始点が設定され、そして、そのままのＡ−Ｂリピートキー２１３の長押しにより再生終了
点を設定することができるので、再生開始点の設定は勿論短時間で行うことができると共
に、再生終了点の設定に要する時間を短縮することができる。
【図面の簡単な説明】
【００４１】
【図１】本発明の一実施形態に係る光ディスク再生装置の構成を示すブロック図である。
【図２】前記実施形態における時間テーブルの内容の一例を示す図である。
【図３】前記実施形態においてリピート動作を行う際の再生開始点Ａと再生終了点Ｂを設定する処理を説明するためのフローチャートである。
【符号の説明】
【００４２】
１    光ディスク
２２    システムコントローラ
２３    フラッシュＲＯＭ（メモリ）
２１３    Ａ−Ｂリピートキー
２２１    再生開始点設定手段
２２２    押下時間計測手段
２２３    計測停止手段
２２４    押下時間判定手段
２２５    再生時間検出手段
２２６    再生終了点設定手段
２２７    時間加算手段
２２８    加算停止手段
２２９    更新再生時間検出手段
２３０    更新再生終了点設定手段
２３１    時間テーブル
【図１】
2005293792.tif 000003
【図２】
2005293792.tif 000004
【図３】
2005293792.tif 000005